(57)【要約】【課題】パイプや布、木製を使用したカヌーは高価なものなので、安価で簡単にカヌーを体験できて使用後は処分でき且つ、輸送、保管時にコンパクトに収納できるカヌーが求められている。【解決手段】素材を段ボールにすることにより、安価で且つ、リサイクル又は焼却も容易にでき、平板状態の組み立て部材を重ね、ひとつの梱包箱に梱包することにより保管、輸送のコストを削減することができる。そして、段目にテープを貼り付けることで、沈没時間を延長することができ、簡単にカヌーを体験することができる。【選択図】図１５
2004210010.tif 000002
【特許請求の範囲】
【請求項１】
組み立て式のカヌーにおいて素材が段ボールであることを特徴とする段ボール製カヌー。
【請求項２】
段ボールの縁をテープでふさぐことで段ボールカヌーの沈没時間を延長することができる請求項１に記載の段ボール製カヌー
【請求項３】
組み立て前の状態がひとつの箱に収まりコンパクトになることで輸送、保管に優れていることを特徴とする請求項１又は２に記載の段ボール製カヌー。
【発明の詳細な説明】
【０００１】
【発明が属する技術分野】この発明は、組み立て式カヌーに関するものである。
【０００２】
【従来の技術】従来、カヌーはパイプや布を使用してカヌーを組み立てている。
（たとえば、特許文献１）また、合成樹脂などを使用した折りたたみボートがある（たとえば、特許文献２）
【０００３】
【特許文献１】特開２００１−２４７０８０号公報
【特許文献２】特開平１−２３３１９０号公報
【０００４】
【発明が解決しようとする課題】パイプや布、木製を使用したカヌーは高価なものなので安価で簡単にカヌーを体験できて使用後は処分でき且つ、輸送、保管時にコンパクトに収納できるカヌーが求められている。
【０００５】
【課題を解決するための手段】素材を段ボールにすることにより、安価で且つ、リサイクル又は焼却も容易にできる。
【０００６】組み立て部材をひとつの箱に梱包することにより保管、輸送のコストを削減することができる。
【０００７】段目にテープを貼り付けることで、沈没時間を延長することができる。
【０００８】
【発明の実施の形態】図１は、この発明に係る段ボール製カヌーの展開図であり、外板１と先端板５と内板１１とコの字仕切１４と仕切板１９と上板２１と先端上板２３と座板２５と背板２６と補助仕切板２８、２９の構成でカヌーが形成される。
【０００９】外板１は底板２に順に側面板３A、３Bと４A、４Bが繋がって設けられている。
【００１０】先端板５は先端底板１０の斜辺に順に側面板８A、８Bと９A、９Bが繋がって設けられており、下辺に底板１０Aが繋がって設けられており、底板１０Aに順に側面板６A、６Bと７A，７Bが繋がって設けられている。
【００１１】内板１１は底パット１３に側壁１２A、１２Bが繋がって設けられている。
【００１２】コの字仕切１４は背もたれ板１６に曲板１５A、１５Bが繋がっており、曲板１５A、１５Bには凹溝１８A、１８Bが設けられている。
【００１３】仕切板１９は、凹溝２０A、２０Bが設けられており、上板２１は、曲板２２A、２２Bが繋がって設けられている。
【００１４】先端上板２３は、曲板２４A、２４Bが繋がって設けられており、座板２５は長方形状になっており、背板２６には曲板２７A、２７Bが繋がって設けられている。
【００１５】補助仕切板２８は凹溝３０が設けられており、補助仕切板２９には凹溝３１が設けられている。
【００１６】このような展開図からなる外板１の縁４０に図２のように段ボールの段目をふさぐようにテープ５０を貼り付ける。この段目をふさぐことで浸水時間を大幅に延長することができる。
【００１７】上記と同じように、先端板５の底板１０A、側面板６A、６B、７A、７B、側面板８A、８B、９A、９Bの縁４１に段目をふさぐようにテープ５０を貼り付ける。
【００１８】図３のようになった底板１と先端板５を図４のように底板１を３枚並べ、その両端に先端板５を配置し、それぞれ側面板４A、４Ｂと７A、７Bの縁にテープ５０を貼り、外板１と先端板５が移動しないように固定する。
【００１９】図４のようになった状態で、図５のように底板１と先端板５の繋ぎ目部分６０にテープ５０を一直線に表と裏共に貼り付ける。
【００２０】次に、二枚の内板１１をテープ５０で繋ぎ合わせ、上記で組み立てた外板１の上に図６のように配置し、各縁をテープ５０で貼り付け、固定する。
【００２１】次に、図７のようにコの字仕切１４の曲板１５A、１５Bを折り曲げ、凹溝２０A、２０Bを仕切板１９の凹溝２０A、２０Bと組み合わせ、図８のように配置する。
【００２２】上記のように仕切りを配置したら、図９のように、曲板１５A、１５Bの縁と側板４A、４Bの縁をテープ５０で繋ぎ合わせる。
【００２３】次に、図１０のように先端板５の各側面板を折り曲げ、側面板３A、３Bと側面板８A、８Bの縁を合わせ、側面板４A、４Bと側面板９A、９Bの縁を合わせ、底板２と底板１０Aを合わせテープ５０で張り合わせる。
【００２４】そして、図１１のように補助仕切板２８の凹溝３０と補助仕切板２９の凹溝３１を合わせ、図１２のように配置し、補助仕切板２９の両縁を側面板７A、７Bの縁とテープ５０で張り合わせる。
【００２５】図１３のように先端上板２３と上板２１をそれぞれは位置し、図１４のようにつなぎ目部分をテープ５０で貼り付ける。
【００２６】次に図１４のように、背板２６の曲板２７A、２７Bを折り曲げ縁にテープ５０を貼り付け固定し、背もたれ板１６と曲板２２の三角形状の空間に挿入する。そして、座板２５を配置し、図１５のように縁にテープ５０を貼り付け、固定する。
【００２７】座席部分の側面板４A、４B縁にテープ５０を貼り付けると乗り込むときに段ボールの縁で手を切りにくい。
【００２８】組み立て前は、各部品を図１６のように重ね合わせ梱包箱６０に梱包でき、コンパクトな状態にできる。
【００２９】
【発明の効果】以上のように、この発明の段ボール製カヌーは人が乗り込み、水面に浮かばせることができる。
【００３０】また、組み立て前は梱包箱に収納されているのでコンパクトに保管、輸送することができる。
【００３１】素材に段ボールを使用することによりリサイクルすることができ、焼却することも容易であり且つ、安価である。
【図面の簡単な説明】
【図１】段ボール製カヌーの展開図である。
【図２】テープで段目をふさぐ組み立て工程図である。
【図３】段目にテープを貼った状態の斜視構成図。
【図４】つなぎ目をテープで仮止めした状態の斜視構成図。
【図５】内板を繋ぎ合わせた状態の斜視構成図。
【図６】内板の縁をテープで固定した状態の斜視構成図。
【図７】コの字仕切と仕切板を組み立てる状態の斜視構成図。
【図８】コの字仕切を配置した状態の斜視構成図。
【図９】側面板を折り曲げ、コの字仕切の曲板にテープで固定した状態の斜視構成図。
【図１０】先端板の側面板を折り曲げテープで固定した状態の斜視構成図。
【図１１】補助仕切板を組み立て途中の斜視構成図。
【図１２】補助敷仕切板の縁と側面板をテープで止めた状態の斜視構成図。
【図１３】上板、先端上板を固定する前の斜視構成図。
【図１４】座板、背板を固定する前の斜視構成図。
【図１５】座板、背板をテープで固定した状態の斜視構成図。
【図１６】梱包途中の斜視構成図。
【図１７】梱包状態の斜視構成図。
【符号の説明】
１  外板
２  底板
３A、３B、４A、４B  側面板
５  先端板
６A、６B、７A、７B  側面板
８A，８B、９A、９B  側面板
１０  先端底板
１０A  底板
１１  内板
１２A、１２B  側壁
１３  底パット
１４  コの字仕切
１６  背もたれ板
１９  仕切板
２１  上板
２３  先端上板
２５  座板
２６  背板
２８、３０  補助仕切板
５０  テープ
４０、４１  段目
５０  テープ
６０  梱包箱
【図１】
2004210010.tif 000003
【図２】
2004210010.tif 000004
【図３】
2004210010.tif 000005
【図４】
2004210010.tif 000006
【図５】
2004210010.tif 000007
【図６】
2004210010.tif 000008
【図７】
2004210010.tif 000009
【図８】
2004210010.tif 000010
【図９】
2004210010.tif 000011
【図１０】
2004210010.tif 000012
【図１１】
2004210010.tif 000013
【図１２】
2004210010.tif 000014
【図１３】
2004210010.tif 000015
【図１４】
2004210010.tif 000016
【図１５】
2004210010.tif 000017
【図１６】
2004210010.tif 000018
【図１７】
2004210010.tif 000019